(57)【要約】      （修正有）【課題】ペンのキャップとバレルを容易に着脱させる筆記具を提供する。【解決手段】ペンのバレル１と、ペンのキャップ２とペンのシース３を備え、キャップの外端部２３と、シースの第２端部３２は、それぞれその大きさや形状が相互に自在で嵌合できる第１嵌合部材と第２嵌合部材を備え、キャップの内端部の外側と前記バレルの末端部１２の内側には、それぞれ相互にねじ嵌合できる雌ねじ部と雄ねじ部が設けられる。ユーザーがペンのキャップとペンのバレルを着脱する必要がある時、ペンのキャップの外端部をペンのシースの第２端部の第１嵌合部材と第２嵌合部材とを相互に係合させ、そして、ネジを利用してネジをねじって開けるようにペンのシースでペンのキャップをねじって開ける。 【選択図】図１
0003183986.tif 000002
【実用新案登録請求の範囲】
【請求項１】
ペンのバレル（１）と、ペンのキャップ（２）とペンのシース（３）を備え、
前記バレルは、書き込み端と前記書き込み端と対向して配置された末端部（１２）を備え、前記キャップは、内端部（２１）と前記内側端部に対向して配置された外端部（２３）を備え、前記シースは、対向して配置された第１端部（３１）と第２端部（３２）を備え、
前記キャップの内端部（２１）は、前記バレルの末端部（１２）に挿入し、
前記バレルの書き込み端（１１）は、前記シースの第１端部（３１）と可動的に接続し、
前記キャップ（２）の外端部（２３）と、前記シース（３）の第２端部（３２）は、それぞれその大きさや形状が相互に自在に嵌合できる第１嵌合部材と第２嵌合部材を備え、前記キャップの内端部（２１）の外側と前記バレルの末端部（１２）の内側には、それぞれ相互にねじ嵌合できる雌ねじ部と雄ねじ部（２２）が設けられていることを特徴とするペンのキャップとバレルを容易に着脱させる筆記具。
【請求項２】
前記第１嵌合部材は、前記キャップの外端部（２３）に設けられたキャップの突起部（２４）となり、前記キャップの突起部（２４）は、キャップの凹溝部（２５）を備え、前記第２嵌合部材は、前記ペンのシースに設けられた第２端部（３２）が前記キャップの突起部（２４）と相互に嵌合するシースの凹溝部（３３）となり、前記シースの凹溝部（３３）は、前記キャップの凹溝部（２５）と相互に嵌合できるシースの突起部（３４）を設けることを特徴とする請求項１に記載のペンのキャップとバレルを容易に着脱させる筆記具。
【請求項３】
前記キャップの凹溝部（２５）は、一の字形状、十字形状、六角形状、または星形等の凹部であり、前記シースの突起部（３４）は、一の字形状、十字形状、六角形状、または星形等の突起部であることを特徴とする請求項２に記載のペンのキャップとバレルを容易に着脱させる筆記具。
【請求項４】
ペンのシースは、一の字形状の突起部であり、そのシースは、押圧部材（３５）を備え、前記押し部の位置は、前記シースの突起部（３４）の縦軸と互いに４５度の角度をずらした処となることを特徴とする請求項２に記載のペンのキャップとバレルを容易に着脱させる筆記具。
【考案の詳細な説明】
【技術分野】
【０００１】
本考案は、文房具に関し、具体的には、容易にペンのキャップとバレル（ペン軸）を分離させる筆記具に関する。
【背景技術】
【０００２】
市販されるマーカー、蛍光ペン等は、一般的に、バレルとキャップを含み、ペンの替え芯は、ペンのバレル内に存置され、筆先は、前記バレルの書き込み端に露出し、当該バレルの書き込み端のバレル末端は、キャップで封止させる。リフィルインクがなくなると、そのリフイルがキャップでバレルに封止されているため、そのバレルが損傷していなくても、ユーザーは、しばしば、リフイルインクを替えることなく、そのペンを捨てるしかないということがおこり、経済上問題がおおい。
【考案の概要】
【考案が解決しようとする課題】
【０００３】
従来技術の欠点を解決するために、本考案は、構造が簡単で、しかもペンのキャップとバレルを容易に着脱させうる筆記具を提供することにある。
【課題を解決するための手段】
【０００４】
上述した目的を達成するために、本考案は、下記の技術からなる：
本考案は、ペンバレルと、ペンのキャップとペンのシース（被覆管）を備え、前記バレルは、書き込み端と前記書き込み端と対向して配置された末端部を備え、前記キャップは、内端部と前記内側端部に対向して配置された外端部を備え、前記シースは、対向して配置された第１端部と第２端部を備え、前記キャップの内端部は、前記バレルの末端部に挿入され、前記バレルの書き込み端は、前記シースの第１端部と可動的に接続される。その特徴は、前記キャップ（２）の外端部と、前記シース（３）の第２端部は、それぞれその大きさや形状が相互に自在で嵌合できる第１嵌合部材と第２嵌合部材を備え、前記キャップの内端部の外側と前記バレルの末端部の内側には、それぞれ相互にねじ嵌合できる雌ねじ部と雄ねじ部が備えられている。
【０００５】
その一つの実施例によると、第１嵌合部材は、前記キャップの外端部に設けられたキャップの突起部となり、前記キャップの突起部は、キャップの凹溝部を設けており、前記第２嵌合部材は、前記ペンのシースに設けられた第２端部が前記キャップの突起部と相互に嵌合したシースの凹溝部となっており、前記シースの凹溝部は、前記キャップの凹溝部と相互に嵌合できるシースの突起部を設ける。前記キャップの凹溝部は、例えば、一の字形状の凹部であり、前記シースの突起部は、対応する一の字形状の突起部となる。キャップの凹溝部とシースの突起部は、他の形状の凹溝部と突起部とすることもでき、例えば、十字形状、六角形状、星形または他の任意の形状とすることもできる。
【０００６】
他の一つの実施例によると、ペンのシースは、一字形状の突起部となることができ、しかもそのシースは、押圧部材を設けてあり、前記押し部の位置は、前記シースの突起部の縦軸と互いに４５度の角度をずらした処となっており、それによって、前記シースの突起部が、前記キャップの凹溝部に嵌入する時、容易にキャップをねじって開けることが可能である。
【０００７】
ユーザーがペンのキャップとペンのバレルを着脱する必要がある時、ペンのキャップの外端部をペンのシースの第２端部の第１嵌合部材と第２嵌合部材とを相互に係合させ、そして、ネジを利用してネジをねじって開けることができ、ペンのシースでペンのキャップをねじって開ける。
【図面の簡単な説明】
【０００８】
【図１】本考案の実施形態による正面図である。
【図２】本考案の実施形態による平面図で、キャップの外端部を示す図である。
【図３】本考案の実施形態による立体図である。
【図４】本考案の実施形態によるキャップの外端部は、シースの第２端部の第１嵌合部材及び第２嵌合部材が相互に嵌合している状態を示す図である。
【図５】本考案の実施形態によるキャップと、バレルと、シースが、相互に着脱している時の状態を示す図である。
【考案を実施するための形態】
【０００９】
以下、図面に基づき実施例によって本考案を詳説する。しかしながら、本考案は、これら実施例に限られない。図面に示すように、本実施形態では、ペンのバレル（１）と、ペンのキャップ（２）とペンのシース（３）を備え、前記バレル（１）は、書き込み端（１１）と前記書き込み端（１１）と対向して配置された末端部（１２）をもち、前記キャップ（２）は、内端部（図示せず）と前記内側端部に対向して配置された外端部（２３）をもち、前記シース（３）は、対向して配置された第１端部（３１）と第２端部（３２）をもち、前記キャップ（２）の内端部は、前記バレル（１）の末端部（１２）に挿入され、前記バレル（１）の書き込み端（１１）は、前記シース（３）の第１端部（３１）と可動的に接続する。前記キャップ（２）の内端部（２１）の外側と前記バレル（１）の末端部（１２）の内側には、それぞれ相互にねじ嵌合できる雌ねじ部と雄ねじ部が設けられており〔図面に前記キャップ（２）の内端部（２１）の外側に設けられた雄ねじ部（２２）のみを示す〕、前記キャップ（２）の外端部（２３）と、前記シース（３）の第２端部（３２）は、それぞれその大きさや形状が相互に自在で嵌合できる第１嵌合部材と第２嵌合部材をもつ。本実施形態では、第１嵌合部材は、前記キャップ（２）の外端部に設けられたキャップの突起部（２４）となり、前記キャップの突起部（２４）は、キャップの凹溝部（２５）をもち、前記第２嵌合部材は、前記ペンのシース（３）に設けられた第２端部（３２）が前記キャップの突起部（２４）と相互に嵌合したシースの凹溝部（３３）となり、前記シースの凹溝部（３３）は、前記キャップの凹溝部（２５）と相互に嵌合できるシースの突起部（３４）をもつ。本実施形態では、前記キャップの凹溝部（２５）は、一の字形状の凹部であり、前記シースの突起部（３４）は、対応する一の字形状の突起部である。他の実施形態では、キャップの凹溝部とシースの突起部は、他の形状の凹溝部と突起部とすることができ、例えば、十字形状、六角形状、星形または他の任意の形状とすることもできる。
【００１０】
本実施形態では、ペンのシースは、押圧部材（３５）をもち、前記押し部の位置は、前記シースの突起部（３４）の縦軸と互いに４５度の角度をずらした処であり、これにより、前記シースの突起部（３４）が、前記キャップの凹溝部（２５）に嵌入する時、容易にキャップをねじって開けることが可能である。
【００１１】
ユーザーがペンのキャップ（２）とペンのバレル（１）を着脱する必要がある時、ペンのキャップ（２）の外端部（２３）をペンのシース（３）の第２端部（３２）の第１嵌合部材と第２嵌合部材とを相互に係合させて、ネジを利用してネジをねじって開けるように、ペンのシースでペンのキャップをねじって開ける。      
【００１２】
上述した実施形態は、本考案の好ましい実施形態であって、しかしながら、本考案は、上述した実施形態に限定されるものではなく、その他、要するに本考案の精神から逸脱することなく、本考案に類似の種々、実質的又は原理的になされる変更、補正、置換、組合、簡素化されたものも、本考案の申請の範疇であるものと見なす。
【符号の説明】
【００１３】
１        ペンのバレル
１１      書き込み端
１２      末端部
２        ペンのキャップ
２１      内端部
２２      雄ねじ部
２３      外端部
２４      キャップの突起部
２５      凹溝部
３        ペンのシース
３１      第１端部
３２      第２端部
３３      シースの凹溝部
３４      シースの突起部
３５      押圧部材
【図１】
0003183986.tif 000003
【図２】
0003183986.tif 000004
【図３】
0003183986.tif 000005
【図４】
0003183986.tif 000006
【図５】
0003183986.tif 000007